(57)【要約】【課題】パネルの厚さが変わっても基板および実装部品を共通化し得るコネクタユニットを提供する。【解決手段】コネクタユニット１０は、コネクタ差込口２６に露出されるインターフェイスコネクタ１４が実装される基板３０と、パネル１２の裏面側に設けられるパネル側コネクタ部２４に接続されるユニット側コネクタ部４０と、パネル１２の厚さ方向に沿って延びるリード端子４２とを有する表面実装部品３２と、パネル１２の厚さ方向に沿って基板３０に形成され、リード端子４２が接続されるフットプリント３４と、を備える。基板３０に対するパネル１２の厚さ方向におけるリード端子４２の接続位置を、パネル１２の厚さに応じて調整できるように、フットプリント３４におけるパネル１２の厚さ方向の長さＦＬが設定される。【選択図】図３
2020107694.tif 000002
【特許請求の範囲】
【請求項１】
厚さ方向に貫通するコネクタ差込口を有するパネルに取り付けられるコネクタユニットであって、
前記コネクタ差込口に露出されるインターフェイスコネクタが実装される基板と、
前記パネルの裏面側に設けられるパネル側コネクタ部に接続されるユニット側コネクタ部と、前記厚さ方向に沿って延びるリード端子とを有する表面実装部品と、
前記厚さ方向に沿って前記基板に形成され、前記リード端子が接続されるフットプリントと、
を備え、
前記基板に対する前記厚さ方向における前記リード端子の接続位置を、前記パネルの厚さに応じて調整できるように、前記フットプリントの前記厚さ方向の長さが設定される、コネクタユニット。
【請求項２】
請求項１に記載のコネクタユニットであって、
前記フットプリントの前記厚さ方向の長さは、前記パネルの厚さの変動幅よりも大きい、コネクタユニット。
【請求項３】
請求項１または２に記載のコネクタユニットであって、
前記フットプリントの前記厚さ方向の長さは、前記リード端子の前記厚さ方向の長さよりも延長されている、コネクタユニット。
【請求項４】
請求項１〜３のいずれか１項に記載のコネクタユニットであって、
前記基板には、
前記パネルの厚さに応じた前記接続位置を位置決めするための複数のマークが前記厚さ方向に沿って設けられる、コネクタユニット。
【請求項５】
請求項４に記載のコネクタユニットであって、
前記マークは、穴であり、
前記表面実装部品には、複数の前記穴のいずれかに挿入される突起が設けられる、コネクタユニット。
【発明の詳細な説明】
【技術分野】
【０００１】
本発明は、コネクタユニットに関する。
【背景技術】
【０００２】
電子機器の筐体外側面部に開口した筐体開口部に、その電子機器内に内蔵された基板に実装したコネクタを配置するものがある（例えば特許文献１参照）。
【先行技術文献】
【特許文献】
【０００３】
【特許文献１】特開２０１６−３１７８１号公報
【発明の概要】
【発明が解決しようとする課題】
【０００４】
上記の電子機器として、液晶パネルなどのパネルが採用されることがある。パネルの厚さはパネルの種類や大きさに応じて変動する傾向がある。パネルの厚さが変動すると、コネクタを実装した基板とパネルとを取り付けるときに、パネルの厚さ方向における電子機器の筐体開口部（コネクタ差込口）とコネクタとの相対位置が変化し、筐体開口部からコネクタが飛び出るなどの不都合が生じることが懸念される。このため、パネルの厚さが変わっても基板や実装部品の形状などを変更することなく共通に用いることができるコネクタユニットが求められる。
【０００５】
そこで、本発明は、パネルの厚さが変わっても基板および実装部品を共通化し得るコネクタユニットを提供することを目的とする。
【課題を解決するための手段】
【０００６】
本発明は、厚さ方向に貫通するコネクタ差込口を有するパネルに取り付けられるコネクタユニットであって、前記コネクタ差込口に露出されるインターフェイスコネクタが実装される基板と、前記パネルの裏面側に設けられるパネル側コネクタ部に接続されるユニット側コネクタ部と、前記厚さ方向に沿って延びるリード端子とを有する表面実装部品と、前記厚さ方向に沿って前記基板に形成され、前記リード端子が接続されるフットプリントと、を備え、前記基板に対する前記厚さ方向における前記リード端子の接続位置を、前記パネルの厚さに応じて調整できるように、前記フットプリントの前記厚さ方向の長さが設定される。
【発明の効果】
【０００７】
本発明によれば、パネルの厚さに応じて基板に対する厚さ方向におけるリード端子の接続位置が調整可能となる。このため、パネルの厚さが変わっても、基板および実装部品を変更することなく、パネルの厚さ方向におけるコネクタ差込口とインターフェイスコネクタとの相対位置を概ね一定にできる。したがって、パネルの厚さが変わっても基板および実装部品を共通化することができる。
【図面の簡単な説明】
【０００８】
【図１】実施の形態のコネクタユニットがパネルの裏面側に取り付けられた状態を示す模式図である。
【図２】パネルの前面側を示す模式図である。
【図３】コネクタユニットが取り付けられた部分を図１の矢印側から見たときの拡大図である。
【図４】図４Ａ〜図４Ｃは、パネルの厚さが標準から大きくなったときのインターフェイスコネクタの位置関係を説明するための図である。
【図５】図５Ａ〜図５Ｃは、パネルの厚さが標準から小さくなったときのインターフェイスコネクタの位置関係を説明するための図である。
【図６】変形例１のコネクタユニットの一部を示す模式図である。
【図７】変形例２のコネクタユニットの一部を示す模式図である。
【発明を実施するための形態】
【０００９】
本発明について、好適な実施の形態を挙げ、添付の図面を参照しながら以下、詳細に説明する。
【００１０】
〔実施の形態〕
図１は、実施の形態のコネクタユニット１０がパネル１２の裏面側に取り付けられた状態を示す模式図であり、図２は、パネル１２の前面側を示す模式図である。
【００１１】
コネクタユニット１０は、インターフェイスコネクタ１４を有するユニットであり、パネル１２の裏面側に配置される（図１参照）。パネル１２は、液晶パネルなどの表示パネル２０と、表示パネル２０の枠材であるフレームパネル２２とを有する（図２参照）。
【００１２】
表示パネル２０の裏面には、コネクタユニット１０と接続するためのパネル側コネクタ部２４が設けられる（図１参照）。フレームパネル２２には、パネル１２の厚さ方向に貫通するコネクタ差込口２６が形成される（図２参照）。このコネクタ差込口２６にはコネクタユニット１０のインターフェイスコネクタ１４が露出する。
【００１３】
図３は、コネクタユニット１０が取り付けられた部分を図１の矢印（矢印ＩＩＩ）側から見たときの拡大図である。コネクタユニット１０は、基板３０、表面実装部品３２およびフットプリント３４を有する。
【００１４】
基板３０は、配線パターンが形成されたプリント基板であり、インターフェイスコネクタ１４が実装される。表面実装部品３２は、基板３０とパネル１２（表示パネル２０）とを接続するための表面実装型パッケージである。この表面実装部品３２は、パネル１２に設けられたパネル側コネクタ部２４に接続されるユニット側コネクタ部４０（パッケージ本体）と、ユニット側コネクタ部４０におけるコネクタ端子と電気的に接続されるリード端子４２とを有する。
【００１５】
リード端子４２は、パネル１２の厚さ方向に沿って延びている。リード端子４２は、パネル１２の厚さ方向に沿ったユニット側コネクタ部４０の両側の各々から延びていてもよく、当該両側の一方から延びていてもよい。また、リード端子４２は、ユニット側コネクタ部４０の外側に延びていてもよく、当該ユニット側コネクタ部４０の内側に延びていてもよい。なお、ユニット側コネクタ部４０の内側にリード端子４２が延びる場合は、ユニット側コネクタ部４０の底面に沿ってリード端子４２が配置される。
【００１６】
本実施の形態では、リード端子４２は、パネル１２の厚さ方向に沿ったユニット側コネクタ部４０の両側の一方側から外側に延びる第１のリード端子４２Ａと、当該両側の他方側から外側に延びる第２のリード端子４２Ｂとを有するものとする。第１のリード端子４２Ａと第２のリード端子４２Ｂとは非接触であり、第１のリード端子４２Ａおよび第２のリード端子４２Ｂの各々は、パネル１２の厚さ方向に対して交差する方向に沿って互いに間隔をあけて配列される。
【００１７】
フットプリント３４は、表面実装部品３２のリード端子４２が接続される導体層であり、基板３０の配線パターンと連結される。このフットプリント３４は、パネル１２の厚さ方向に沿って基板３０の実装面上に形成される。
【００１８】
本実施の形態では、フットプリント３４は、第１のリード端子４２Ａに対応する第１のフットプリント３４Ａと、第２のリード端子４２Ｂに対応する第２のフットプリント３４Ｂとを有するものとする。第１のフットプリント３４Ａと第２のフットプリント３４Ｂとは非接触であり、第１のフットプリント３４Ａおよび第２のフットプリント３４Ｂの各々は、パネル１２の厚さ方向に対して交差する方向に沿って互いに間隔をあけて配列される。
【００１９】
以下の説明では、リード端子４２と称する場合は、第１のリード端子４２Ａおよび第２のリード端子４２Ｂの各々を意味するものとする。また、フットプリント３４と称する場合は、第１のフットプリント３４Ａおよび第２のフットプリント３４Ｂの各々を意味するものとする。
【００２０】
図４Ａ〜図４Ｃは、パネル１２の厚さが標準から大きくなったときのインターフェイスコネクタ１４の位置関係を説明するための図である。図４Ａおよび図４Ｂでは、フットプリント３４におけるパネル１２の厚さ方向の略中央をリード端子４２の接続位置として固定する場合が示されている。
【００２１】
リード端子４２の接続位置が固定である場合、パネル１２の厚さが標準であるとき（図４Ａ）に比べ、標準よりも大きいとき（図４Ｂ）には、インターフェイスコネクタ１４の先端位置がコネクタ差込口２６の奥側（パネル１２の裏面側）にずれる。このずれ幅Ｗ１は、パネル１２の厚さの変動幅に一致する。
【００２２】
このパネル１２の厚さの変動幅に応じた量をシフト量として、リード端子４２の接続位置が、フットプリント３４におけるパネル１２の厚さ方向の略中央（図４Ａ）から奥側にシフトされたとする（図４Ｃ）。このようにシフトした場合、図４Ａと図４Ｃとの比較からも分かるように、コネクタ差込口２６とインターフェイスコネクタ１４との相対位置が一定となる。
【００２３】
図５Ａ〜図５Ｃは、パネル１２の厚さが標準から小さくなったときのインターフェイスコネクタ１４の位置関係を説明するための図である。図５Ａおよび図５Ｂでは、フットプリント３４におけるパネル１２の厚さ方向の略中央をリード端子４２の接続位置として固定する場合が示されている。
【００２４】
リード端子４２の接続位置が固定である場合、パネル１２の厚さが標準であるとき（図５Ａ）に比べ、標準よりも小さいとき（図５Ｂ）には、インターフェイスコネクタ１４の先端位置がコネクタ差込口２６の手前側（パネル１２の表面側）にずれる。このずれ幅Ｗ２は、パネル１２の厚さの変動幅に一致する。
【００２５】
このパネル１２の厚さの変動幅に応じた量をシフト量として、リード端子４２の接続位置が、フットプリント３４におけるパネル１２の厚さ方向の略中央（図５Ａ）から手前側にシフトされたとする（図５Ｃ）。このようにシフトした場合、図５Ａと図５Ｃとの比較からも分かるように、コネクタ差込口２６とインターフェイスコネクタ１４との相対位置が一定となる。
【００２６】
本実施の形態のフットプリント３４では、基板３０に対するパネル１２の厚さ方向におけるリード端子４２の接続位置を、パネル１２の厚さに応じて調整できるように、フットプリント３４におけるパネル１２の厚さ方向の長さＦＬ（図３参照）が設定されている。このフットプリント３４におけるパネル１２の厚さ方向の長さＦＬは、パネル１２の厚さの変動幅よりも大きいことが好ましい。パネル１２の厚さの変動幅は、コネクタユニット１０の取付対象となる複数のパネル１２のうち、最も厚さが小さいパネル１２と、最も厚さが大きいパネル１２との厚さの差である。
【００２７】
フットプリント３４の長さＦＬは、リード端子４２におけるパネル１２の厚さ方向の長さＲＬよりも延長されることが好ましい。なお、リード端子４２は、ユニット側コネクタ部４０の外側に延びるものである場合に、段差を有することがある。具体的には、リード端子４２は、根元側の第１屈曲部位で山折りに屈曲し、先端側の第２屈曲部位で谷折りに屈曲することで段差を有する。リード端子４２が段差を有する場合、リード端子４２におけるパネル１２の厚さ方向の長さＲＬは、リード端子４２の先端から第２屈曲部位までの平坦部分（はんだなどで固定される部分）の長さである。
【００２８】
このように本実施の形態のコネクタユニット１０では、フットプリント３４におけるパネル１２の厚さ方向の長さＦＬが設定されることで、パネル１２の厚さに応じて基板３０に対するパネル１２の厚さ方向におけるリード端子４２の接続位置が調整可能となる。このため、パネル１２の厚さが変わっても、基板３０および表面実装部品３２などの実装部品を変更することなく、パネル１２の厚さ方向におけるコネクタ差込口２６とインターフェイスコネクタ１４との相対位置を概ね一定にできる。したがって、パネル１２の厚さが変わっても基板３０および表面実装部品３２などの実装部品を共通化することができる。
【００２９】
［変形例］
以上、本発明の一例として実施の形態が説明されたが、上記実施の形態に、多様な変更または改良を加えることが可能であることはもちろんである。その様な変更または改良を加えた形態も本発明の技術的範囲に含まれ得ることが、特許請求の範囲の記載から明らかである。
【００３０】
（変形例１）
図６は、変形例１のコネクタユニット１０の一部を示す模式図である。なお、上記実施の形態において説明した構成と同等の構成については同一の符号を付し、上記実施の形態と重複する説明は省略する。
【００３１】
変形例１のコネクタユニット１０では、表面実装部品３２が実装される基板３０の実装面に、パネル１２の厚さに応じたリード端子４２の接続位置を位置決めするための複数のマーク５０が、パネル１２の厚さ方向に沿って設けられる。
【００３２】
マーク５０は、図６に示す例では、表面実装部品３２のユニット側コネクタ部４０の外形の４隅を示す形状になっているが、当該マーク５０の形状は特に限定されない。また、マーク５０の種類、大きさ、数についても特に限定されない。なお、複数のマーク５０の種類、形状および大きさの少なくとも１つが互いに異なっていてもよい。
【００３３】
このような複数のマーク５０が設けられることで、パネル１２の厚さと、基板３０に対するパネル１２の厚さ方向におけるリード端子４２の接続位置との関係を把握させることができる。したがって、パネル１２の厚さに応じたリード端子４２の接続位置の誤りを低減することができる。
【００３４】
（変形例２）
図７は、変形例２のコネクタユニット１０の一部を示す模式図である。なお、上記実施の形態において説明した構成と同等の構成については同一の符号を付し、上記実施の形態と重複する説明は省略する。
【００３５】
変形例２のコネクタユニット１０では、複数のマーク５０は穴である。この穴は、図７に例示するように基板３０を貫通しないものであってもよく、基板３０を貫通するものであってもよい。また、変形例２のコネクタユニット１０では、ユニット側コネクタ部４０の裏面から突出する突起５２が表面実装部品３２に設けられる。この突起５２は、複数の穴の各々に挿入可能であり、各々の穴のいずれかに挿入される。
【００３６】
このように複数のマーク５０として形成される穴のいずれかに挿入される突起５２が表面実装部品３２に設けられることで、パネル１２の厚さに応じた接続位置にリード端子４２を正確に配置することができる。
【００３７】
（変形例３）
上記実施の形態および上記変形例は、矛盾の生じない範囲で適宜組み合わされてよい。
【００３８】
［実施の形態から得られる発明］
上記実施の形態および変形例から把握しうる発明について、以下に記載する。
【００３９】
本発明は、厚さ方向に貫通するコネクタ差込口（２６）を有するパネル（１２）に取り付けられるコネクタユニット（１０）である。コネクタユニット（１０）は、コネクタ差込口（２６）に露出されるインターフェイスコネクタ（１４）が実装される基板（３０）と、パネル（１２）の裏面側に設けられるパネル側コネクタ部（２４）に接続されるユニット側コネクタ部（４０）と、パネル（１２）の厚さ方向に沿って延びるリード端子（４２）とを有する表面実装部品（３２）と、パネル（１２）の厚さ方向に沿って基板（３０）に形成され、リード端子（４２）が接続されるフットプリント（３４）と、を備える。基板（３０）に対するパネル（１２）の厚さ方向におけるリード端子（４２）の接続位置を、パネル（１２）の厚さに応じて調整できるように、フットプリント（３４）のパネル（１２）の厚さ方向の長さ（ＦＬ）が設定される。
【００４０】
このコネクタユニット（１０）では、パネル（１２）の厚さに応じて基板（３０）に対するパネル（１２）の厚さ方向におけるリード端子（４２）の接続位置が調整可能となる。このため、パネル（１２）の厚さが変わっても、基板（３０）および表面実装部品（３２）などの実装部品を変更することなく、パネル（１２）の厚さ方向におけるコネクタ差込口（２６）とインターフェイスコネクタ（１４）との相対位置を概ね一定にできる。したがって、パネル（１２）の厚さが変わっても基板（３０）および表面実装部品（３２）などの実装部品を共通化することができる。
【００４１】
フットプリント（３４）のパネル（１２）の厚さ方向の長さ（ＦＬ）は、パネル（１２）の厚さの変動幅よりも大きくしてもよい。これにより、パネル（１２）の厚さに応じて基板（３０）に対する厚さ方向におけるリード端子（４２）の接続位置を調整することができる。
【００４２】
フットプリント（３４）のパネル（１２）の厚さ方向の長さ（ＦＬ）は、リード端子（４２）のパネル（１２）の厚さ方向の長さ（ＲＬ）よりも延長されていてもよい。これにより、パネル（１２）の厚さに応じて基板（３０）に対する厚さ方向におけるリード端子（４２）の接続位置を調整することができる。
【００４３】
基板（３０）には、パネル（１２）の厚さに応じた接続位置を位置決めするための複数のマーク（５０）が厚さ方向に沿って設けられてもよい。これにより、パネル（１２）の厚さと、基板（３０）に対するパネル（１２）の厚さ方向におけるリード端子（４２）の接続位置との関係を把握させることができる。したがって、パネル（１２）の厚さに応じたリード端子（４２）の接続位置の誤りを低減することができる。
【００４４】
マーク（５０）は、穴であり、表面実装部品（３２）には、複数の穴のいずれかに挿入される突起（５２）が設けられてもよい。これにより、パネル（１２）の厚さに応じた接続位置にリード端子（４２）を正確に配置することができる。
【符号の説明】
【００４５】
１０…コネクタユニット                    １２…パネル
１４…インターフェイスコネクタ            ２０…表示パネル
２２…フレームパネル                      ２４…パネル側コネクタ部
２６…コネクタ差込口                      ３０…基板
３２…表面実装部品                        ３４…フットプリント
４０…ユニット側コネクタ部                ４２…リード端子
５０…マーク                              ５２…突起
【図１】
2020107694.tif 000003
【図２】
2020107694.tif 000004
【図３】
2020107694.tif 000005
【図４】
2020107694.tif 000006
【図５】
2020107694.tif 000007
【図６】
2020107694.tif 000008
【図７】
2020107694.tif 000009